(57)【要約】      （修正有）【課題】簡単にスピーカキャビネット方式を変更でき、大きさや音質、低音の増強を自由に変更可能なスピーカ装置を提供する。【解決手段】スピーカユニット１を備え、連結開口部を有する基本スピーカキャビネット４と、連結開口部を開閉可能なスピーカ台と、連結開口部を有した分離スピーカキャビネット４ａを有し、分離スピーカキャビネット４ａは内部構造を板で組み上げて変更可能であり、基本スピーカキャビネット４、スピーカ台、分離スピーカキャビネット４ａが分離脱着可能とする。分離スピーカキャビネット４ａの側板に板を固定するためのスリットを設け、様々な長さにした板に突起を設け、このスリットに差し込み、ブロックを組み立てるようにスピーカキャビネット内部の構造が変更可能である。スピーカ台の設置方法や、分離スピーカキャビネット４ａの内部構造を変更することで簡単に音質や低音の増強、低音の音色が変更できる。【選択図】図１
2007074690.tif 000002
【特許請求の範囲】
【請求項１】
キャビネットの内部を様々な長さや形をした板を脱着して組み合わせることによって、ブロックを組み立てるように構造を変更可能なことを特徴とするスピーカ装置。
【請求項２】
スピーカユニットを備え、連結開口部を有するスピーカキャビネットと、連結開口部を有した分離可能なキャビネットの空気室が連結できることを特徴とするスピーカ装置。
【請求項３】
キャビネットに長さと形を自在に変えることができる蛇腹型のダクトを有するスピーカ装置。
【請求項４】
スピーカユニットを備え、開口部を有するスピーカキャビネットと、開口部を開閉することが可能なスピーカ台を有するスピーカ装置。
【発明の詳細な説明】
【技術分野】
【０００１】  この発明は、スピーカキャビネット方式を簡単に変更でき、大きさ、音色や低音増強を簡単に可変できるスピーカ装置に関するものである。
【背景技術】
【０００２】  スピーカ装置は、スピーカキャビネットにスピーカユニットを取り付け、スピーカ端子と配線し、スピーカ端子から音楽信号が入力されると磁気回路と振動板で構成されたスピーカユニットを動作させ、この音楽信号に応じた音を放射する。
スピーカキャビネット方式により１９図の密閉型、２０図のバスレフ型、２１図のダブルバスレフ型、２２図のＴＱＷＴ型、２３図のバックロードホーン型、２４図の音響迷路型が知られている。スピーカユニット単体では低音を十分に再生することができず、スピーカキャビネット構造にて音圧を打ち消したり、共鳴現象等を利用して低音の増強をしている。また、その構造により音色が違うため趣味として楽しむことができる。
１９図の密閉型は、穴のない箱でユニット背面からの音を遮断し、低音を出すようになっている。余分な音が出ずクリアな音質であるが、詰まった低音になり易い。空気室の容量を大きくすることで再生可能周波数を低くし超低域の再生が可能となる。
２０図のバスレフ型は、密閉箱に穴をあけ、バスレフ用ダクト５ａをつけて、空気が出入りできるようにしたものである。キャビネット内の空気が空気バネとして働き、共振を起こす。この共振周波数の低音を増強することができる。密閉型と比べると、低音に量感があるが超低域の再生が出来ず、ダクトから中高音がもれやすい。
２１図のダブルバスレフ型は、一つのスピーカキャビネットの空気室を２つに分け、バスレフ型のキャビネットにもう一つバスレフのキャビネットをくっつけた構造となっており、バスレフ用ダクト５ａとダブルバスレフ用第２ダクト５ｃを違った共振周波数とすることでワイドレンジに低音を増強させることができる。
２２図のＴＱＷＴ型は、パイプの共振を利用して低音を増強することができる。パイプは一端開管、一端閉管で使用し、その共振周波数はパイプの長さが１／４波長となる周波数である。音速を３４４ｍ／ｓｅｃとすると、共振周波数＝３４４／４Ｌ（Ｌはパイプの長さ（ｍ））という単純な式で表される。共振された低音はＴＱＷＴ型用放射ダクト５ｄから放射される。設計が容易でかなりすぐれた低音増強が期待できる構造である。
２３図のバックロードホーン型は、スピーカユニットの背面にホーンをつけ、なだらかに広げてやることで、効率的に音をバックロード型用放射ダクト５ｅから放射させる。切れが良く、響きの豊かな低音の再生が可能であるが、構造が複雑で大型システムとなってしまう。
２４図の音響迷路型は、ユニット背面の音を迷路のように音道を通して音響迷路型用放射ダクト５ｆから放射させるものである。素直な音となるが低音の増強はあまり望めない。
上記スピーカ装置では一度、製作するとスピーカキャビネット方式を変更することはできなかった。
【発明の開示】
【発明が解決しようとする課題】
【０００３】  このようなスピーカ装置では一度製作するとそのスピーカキャビネット方式を変更することができなかった。また、大きさも簡単に変更できず、広い場所から狭い場所に容易に設置変更できなかった。また、低音を増強したい場合はスピーカ装置を買い換えるか低音専用スピーカ装置を新たに購入する必要があった。スピーカキャビネット方式による音色の違いを楽しむことも簡単にできなかった。
本発明は叙述の問題点を解消したスピーカ装置を提供するものであり、本発明の課題は、スピーカキャビネット方式を簡単に変更でき、音質や低音の増強、低音の音色を容易に変更できるようにする。また、大きさを簡単に変更でき、広い場所から狭い場所に容易に設置変更できるようにする。
【問題を解決するための手段】
【０００４】  スピーカユニットを備え、連結開口部を有する基本スピーカキャビネットと、連結開口部を開閉可能なスピーカ台と、連結開口部を有した分離スピーカキャビネットを有し、分離スピーカキャビネットは内部構造を板で組み上げて変更可能であることを特徴とし、基本スピーカキャビネット、スピーカ台、分離スピーカキャビネットが分離脱着可能とする。
分離スピーカキャビネットの側板に板を固定するためのスリットを設け、様々な長さにした板に突起を設け、このスリットに差し込み、ブロックを組み立てるようにスピーカキャビネット内部の構造を変更可能とする。
スピーカ台の設置方法や、分離スピーカキャビネットの内部構造を変更することで簡単に音質や低音の増強、低音の音色を変更できるようにする。また、基本スピーカキャビネットは簡単に分離でき、広い場所から狭い場所に容易に設置変更できるようにする。
【発明の効果】
【０００５】（イ）スピーカキャビネット方式を簡単に変更でき、音質や低音の増強、低音の音色を容易に変更できるため、好みの音質を簡単に得られるようになった。
（ロ）スピーカユニットを有する基本スピーカキャビネットと低音増強用の分離スピーカキャビネットが分離可能となり、小さい基本スピーカキャビネットを分離し、狭い寝室などに容易に移動し設置できるようになった。
（ハ）ディンプル加工されたゴルフボールが空気の流れを制御しより遠くに飛ぶことは知られているが、これと同じようにダクトが蛇腹状であるため、空気の流れが制御され、歪みのない低音が再生可能となる。
（ニ）スピーカユニットを有する基本スピーカキャビネットと低音増強用の分離スピーカキャビネットが分離されており、低音増強部の振動が、スピーカユニットに伝わらず、歪みのないクリアな音の再生が可能となる。
（ホ）スピーカキャビネット内部のスリットや穴で音波が反射され内部定在波を低減できる。
（ヘ）スピーカキャビネット内部に板をランダムに取り付けることも可能であり、この場合音波がランダムに反射され、内部定在波を低減できる。
【発明を実施するための最良の形態】
【０００６】  以下、この発明の実施形態について図面を参照して説明する。
（第１の実施形態）図１は、本発明の第１の実施形態に係わり、ダブルバスレフ型とした場合のスピーカ装置の断面図である。図２は、本発明の第１の実施形態に係わり、ダブルバスレフ型とした場合のスピーカ装置の斜視図である。このスピーカ装置は図１に示すように、スピーカユニット１を備えた、基本スピーカキャビネット４を有し、スピーカユニット１は線材３でスピーカ端子２に接続されている。スピーカ端子２からの音楽信号が入力されると磁気回路と振動板で構成されたスピーカユニット１を動作させ、この音楽信号に応じた音を放射する。
基本スピーカキャビネット４と分離スピーカキャビネット４ａは分離脱着可能であり、基本スピーカキャビネット４は底板に連結開口部６、分離スピーカキャビネット４ａは上板に連結開口部６を有しており、各空気室が連結できる構造となっている。
基本スピーカキャビネット４の連結開口部６には長さと形を自在に変えることができる蛇腹型バスレフダクト５を取り付ける。蛇腹型バスレフダクト５の開口部にはガギ状の物がひっかかる突起物７設け、長いカギ状の物で上下させることにより長さ調整が簡単にできるようにする。
分離スピーカキャビネット４ａの天板、表板、裏板、底板と左側側板１０４ａは接着剤やネジで組み上げる。右側側板１０４ｂは脱着可能とし、ボルト１０６とナット１０７や、ネジ１０５で接合し、簡単にスピーカキャビネットが開閉できるようにする。
左側側板１０４ａには、複数に水平方向スリット１００ａと垂直方向スリット１００ｂを設ける。尚、本例は水平と垂直方向にスリットを設けたものであるが斜め方向でも構わない。
図３のように、組み立て用板（小）１０１ａから組み立て用板（特大）１０１ｄと、長さの異なる板を作り、この板に点状突起物１０２か、線状突起物１０３を設け、これをスリット１００ａとスリット１００ｂに差し込み、ブロックを組み立てるように垂直、水平、斜めと組み合わせることでスピーカキャビネットの内部構造を変更できる。
このように、ブロックを組み立てるように簡単に内部の構造を変更できる。本実施形態の場合はダブルバスレフ型したため、蛇腹型バスレフダクト５とダブルバスレフ用第２ダクト５ｃを違った共振周波数とすることでワイドレンジに低音を増強させることができる。また、分離スピーカキャビネットをスピーカスタンドとすることでスピーカユニット１が耳の位置に近い設置となり、よりクリアな音質となる。
尚、スピーカキャビネットの内部を接着剤で固定化することも可能であり、この場合も製作が容易となる。
【実施例】
【０００７】  （第２の実施形態）図４は、本発明の第２の実施形態に係わるスピーカ装置の断面図である。第１の実施形態のスピーカ装置の水平方向スリット１００ａと垂直方向スリット１００ｂを穴１００ｃにしたものである。組み立て板を点状突起１０２とし、これを穴１００ｃに差し込み、ブロックを組み立てるように垂直、水平、斜めと組み合わせることでスピーカキャビネットの内部構造を変更できる。作用効果及び内部構造変更は、第１の実施形態と同様であるので、その記載は省略する。【０００８】  （第３の実施形態）図５は、本発明の第３の実施形態に係わり、容量を増やした密閉型とした場合のスピーカ装置の断面図である。第１の実施形態のスピーカ装置の分離スピーカキャビネット４ａ内部を、組み立て板（中）１０１ｂと組み立て板（特大）１０１ｄにて図５に示すように組み立て、容量を増やした密閉型とする。蛇腹型バスレフダクト５は共振しないように折りたたんでおく。本実施形態の場合は密閉型の空気室を増量したため、低音の再生可能周波数が低くなり、より豊かな低音となる。また、組み立て板（特大）１０１ｄの上下位置を変えることのより自由に容量を可変することが可能となる。【０００９】  （第４の実施形態）図６は、本発明の第４の実施形態に係わり、ＴＱＷＴ型とした場合のスピーカ装置の断面図である。第１の実施形態のスピーカ装置の分離スピーカキャビネット４ａ内部を、組み立て板（小）１０１ａと組み立て板（中）１０１ｂにて図６に示すように組み立て、ＴＱＷＴ型とする。蛇腹型バスレフダクト５は共振しないように折りたたんでおく。共振した音波がＴＱＷＴ型用放射ダクト５ｄから放射され、かなりすぐれた低音増強ができる。【００１０】  （第５の実施形態）図７は、本発明の第５の実施形態に係わり、バックロードホーン型とした場合のスピーカ装置の断面図である。第１の実施形態のスピーカ装置の分離スピーカキャビネット４ａ内部を組み立て板（小）１０１ａ、組み立て板（小）１０１ｂ、組み立て板（大）１０１ｃにて図７に示すように組み立て、バックロードホーン型とする。蛇腹型バスレフダクト５は共振しないように折りたたんでおく。効率的に音を放射させ、切れが良く、響きの豊かな低音の再生が可能となる。【００１１】  （第６の実施形態）図８は、本発明の第６の実施形態に係わり、音響迷路型とした場合のスピーカ装置の断面図である。第１の実施形態のスピーカ装置の分離スピーカキャビネット４ａ内部を図８に示すように変更し、音響迷路型とする。
（第６の実施形態）図８は、本発明の第６の実施形態に係わり、音響迷路型とした場合のスピーカ装置の断面図である。第１の実施形態のスピーカ装置の内部を組み立て板（小）１０１ａ、組み立て板（大）１０１ｃにて図８に示すように組み立て、音響迷路型とする。蛇腹型バスレフダクト５は共振しないように折りたたんでおく。低音の増強は程々となるが素直な音となる。【００１２】  （第７の実施形態）図９は、本発明の第７の実施形態に係わり、板を不規則に配置した場合のスピーカ装置の断面図である。第１の実施形態のスピーカ装置の分離スピーカキャビネット４ａ内部を組み立て板（小）１０１ａにて図９に示すように不規則に組み立てる。音波が板でランダムに反射され、内部定在波を低減できる。【００１３】  （第８の実施形態）図１０は、本発明の第８の実施形態に係わるスピーカ装置の斜視図である。第３の実施形態のスピーカ装置のキャビネットを分離とせず、スピーカユニット１を取り付けた一体型スピーカキャビネット４ｃとする。作用効果は、第３の実施形態と同様であるので、その記載は省略する。【００１４】  （第９の実施形態）図１１は、本発明の第９の実施形態に係わり、スピーカ台にて密閉型とした場合のスピーカ装置の断面図である。図１２は、本発明の第９の実施形態に係わり、スピーカ台にて密閉型とした場合のスピーカ装置の斜視図である。第１の実施形態の基本スピーカキャビネット４を分離し、スピーカベース１０と足９にて構成されたスピーカ台８の、スピーカベース１０側を基本スピーカキャビネット４の底板に接する様に設置することで密閉型のスピーカ装置となる。小型で歪みの少ない再生音となり、寝室等の狭い場所で深夜に小音量で聴く時に適している。【００１５】（第１０の実施形態）図１３は、本発明の第１０の実施形態に係わり、スピーカ台にてバスレフ型とした場合のスピーカ装置の断面図である。図１４は、本発明の第１０の実施形態に係わり、スピーカ台にてバスレフ型とした場合のスピーカ装置の斜視図である。第９の実施形態にて、スピーカ台８の、足９を基本スピーカキャビネット４の底板に接する様に設置することでバスレフ型のスピーカ装置となる。小型であるが豊かな低音再生となり、リスニングルーム等のＢＧＭ再生等に適している。【００１６】  （第１１の実施形態）図１５は、本発明の第１１の実施形態に係わり、スピーカ台にてバスレフ型とし、蛇腹ダクトを長くした場合のスピーカ装置の断面図である。図１６は、本発明の第１１の実施形態に係わり、スピーカ台にてバスレフ型とし、蛇腹ダクトを長くした場合のスピーカ装置の斜視図である。第１０の実施形態にて、蛇腹ダクトを長く伸ばして共振周波数を低くする。スピーカユニット１を変更した場合には、共振周波数の調整が可能となる。【００１７】  （第１２の実施形態）図１７は、本発明の第１２の実施形態に係わり、スピーカ台にてバスレフ型とし、蛇腹ダクトを短くした場合のスピーカ装置の断面図である。図１８は、本発明の第１２の実施形態に係わり、スピーカ台にてバスレフ型とし、蛇腹ダクトを短くした場合のスピーカ装置の斜視図である。第１０の実施形態にて、蛇腹ダクトを短くして共振周波数を高くする。スピーカユニット１を変��した場合には、共振周波数の調整が可能となる。
【図面の簡単な説明】
【００１８】
【図１】本発明の第１の実施形態に係わり、ダブルバスレフ型とした場合のスピーカ装置の断面図である。
【図２】本発明の第１の実施形態に係わり、ダブルバスレフ型とした場合のスピーカ装置の斜視図である。
【図３】本発明の組み合わせ板の斜視図である。
【図４】本発明の第２の実施形態に係わるスピーカ装置の断面図である。
【図５】本発明の第３の実施形態に係わり、容量を増やした密閉型とした場合のスピーカ装置の断面図である。
【図６】本発明の第４の実施形態に係わり、ＴＱＷＴ型とした場合のスピーカ装置の断面図である。
【図７】本発明の第５の実施形態に係わり、バックロードホーン型とした場合のスピーカ装置の断面図である。
【図８】本発明の第６の実施形態に係わり、音響迷路型とした場合のスピーカ装置の断面図である。
【図９】本発明の第７の実施形態に係わり、板を不規則に配置した場合のスピーカ装置の断面図である。
【図１０】本発明の第８の実施形態に係わるスピーカ装置の断面図である。
【図１１】本発明の第９の実施形態に係わり、スピーカ台にて密閉型とした場合のスピーカ装置の断面図である。
【図１２】本発明の第９の実施形態に係わり、スピーカ台にて密閉型とした場合のスピーカ装置の斜視図である。
【図１３】本発明の第１０の実施形態に係わり、スピーカ台にてバスレフ型とした場合のスピーカ装置の断面図である。
【図１４】本発明の第１０の実施形態に係わり、スピーカ台にてバスレフ型とした場合のスピーカ装置の斜視図である。
【図１５】本発明の第１１の実施形態に係わり、スピーカ台にてバスレフ型とし、蛇腹ダクトを長くした場合のスピーカ装置の断面図である。
【図１６】本発明の第１１の実施形態に係わり、スピーカ台にてバスレフ型とし、蛇腹ダクトを長くした場合のスピーカ装置の斜視図である。
【図１７】本発明の第１２の実施形態に係わり、スピーカ台にてバスレフ型とし、蛇腹ダクトを短くした場合のスピーカ装置の断面図である。
【図１８】本発明の第１２の実施形態に係わり、スピーカ台にてバスレフ型とし、蛇腹ダクトを短くした場合のスピーカ装置の斜視図である。
【図１９】従来の密閉型のスピーカ装置の斜視図である。
【図２０】従来のバスレフ型のスピーカ装置の斜視図である。
【図２１】従来のダブルバスレフ型のスピーカ装置の斜視図である。
【図２２】従来のＴＱＷＴ型のスピーカ装置の断面図である。
【図２３】従来のバックロードホーン型のスピーカ装置の断面図である。
【図２４】従来の音響迷路型のスピーカ装置の断面図である。
【符号の説明】
【００１９】１・・スピーカユニット、２・・スピーカ端子、３・・線材、４・・基本スピーカキャビネット、４ａ・・分離スピーカキャビネット、４ｂ・・一体型スピーカキャビネット、４ｃ・・スピーカキャビネット、５・・蛇腹型バスレフダクト、５ｂ・・バスレフ用ダクト、５ｃ・・ダブルバスレフ用第２ダクト、５ｄ・・ＴＱＷＴ型用放射ダクト、５ｅ・・バックロードホーン型用放射ダクト、５ｆ・・音響迷路型用放射ダクト、６・・連結開口部、７・・蛇腹型ダクト突起、８・・スピーカ台、９・・足、１０・・スピーカベース、１００ａ・・水平方向スリット、１００ｂ・・垂直方向スリット、１０１ａ・・組み立て用板（小）、１０１ｂ・・組み立て用板（中）、１０１ｃ・・組み立て用板（大）、１０１ｄ・・組み立て用板（特大）、１００ｅ・・組み立て用板（特大）（点状突起）、１０２・・点状突起、１０３・・線上突起、１０４ａ・・左側側板、１０４ｂ：右側側板、１０５・・ネジ、１０６・・ボルト、１０７・・ナット
【図１】
2007074690.tif 000003
【図２】
2007074690.tif 000004
【図３】
2007074690.tif 000005
【図４】
2007074690.tif 000006
【図５】
2007074690.tif 000007
【図６】
2007074690.tif 000008
【図７】
2007074690.tif 000009
【図８】
2007074690.tif 000010
【図９】
2007074690.tif 000011
【図１０】
2007074690.tif 000012
【図１１】
2007074690.tif 000013
【図１２】
2007074690.tif 000014
【図１３】
2007074690.tif 000015
【図１４】
2007074690.tif 000016
【図１５】
2007074690.tif 000017
【図１６】
2007074690.tif 000018
【図１７】
2007074690.tif 000019
【図１８】
2007074690.tif 000020
【図１９】
2007074690.tif 000021
【図２０】
2007074690.tif 000022
【図２１】
2007074690.tif 000023
【図２２】
2007074690.tif 000024
【図２３】
2007074690.tif 000025
【図２４】
2007074690.tif 000026
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
キャビネットの内部を様々な長さや形をした板を脱着して組み合わせることによって、ブロックを組み立てるように構造を変更可能なことを特徴とするスピーカ装置。
【請求項２】
スピーカユニットを備え、連結開口部を有するスピーカキャビネットと、連結開口部を有した分離可能なキャビネットの空気室が連結できることを特徴とするスピーカ装置。
【請求項３】
キャビネットに長さと形を自在に変えることができる蛇腹型のダクトを有するスピーカ装置。
【請求項４】
スピーカユニットを備え、開口部を有するスピーカキャビネットと、開口部を開閉することが可能なスピーカ台を有するスピーカ装置。
【請求項５】
請求項１に記載のスピーカ装置において、キャビネット内部の内部壁に溝をもうけ、様々な長さや形をした板をこの溝に差し込むことで固定できるようにし、密閉型、ＴＱＷＴ型、バスレフ型、ダブルバスレフ型、バックロードホーン型、音響迷路型等のキャビネット構造を自由に変更可能なことを特徴とするスピーカ装置。
【請求項６】
請求項４に記載のスピーカ装置において、底板を開口部とし前記開口部にバスレフ用ダクトを取り付けたスピーカキャビネットと、底板を塞ぐことができる板の片側に足を取り付けスピーカ台とし、前記スピーカ台にて、足を取り付けていない平行面を底板に接触させてスピーカキャビネットを設置することで開口部を閉じることが可能であることと、足を底板に接触させてスピーカキャビネットを設置することで開口部を開くことが可能であることを特徴としたスピーカ装置。
【請求項７】
請求項６に記載のスピーカ装置において、前記スピーカ台の足をコの字型に配置し、前記足を底板に接触させてスピーカキャビネットを設置し、バスレフ用ダクトの穴から外部に共鳴音を放出する前に、コの字型に配置されることでできた空気室にて共鳴音の圧縮と伸縮ができるようにし、また一点方向に共鳴音を放射ことで再生可能な低音の周波数を低くし、音圧の増強を可能としたことを特徴とするスピーカ装置。